(57)【要約】  【課題】  ＧＰＳにより位置情報を利用することなく、撮像場所を示す内容を表示可能にする。  【解決手段】  撮像装置１は、スケジュール作成機能を具備し、予定内容に関連する項目として日時、内容、場所、備考に対する入力をユーザから受け付けてスケジュールを作成する。また、撮像装置１は撮像を行った場合、撮像日時とスケジュールに規定された予定内容の日時とをヒモ付けることで、その撮像日時に対応するユーザの予定内容を特定し、特定した予定内容を撮像画像に重合して表示する。予定内容にはユーザにより場所に関する内容が入力されているので、撮像画像と共に場所に関する内容が表示され、ＧＰＳによる位置特定処理を行うことなく撮像場所に関する情報を提供できる。【選択図】      図１
2006180284.tif 000002
【特許請求の範囲】
【請求項１】
撮像に係る撮像日時を特定する日時特定手段と、該日時特定手段が特定した撮像日時及び該撮像日時の撮像画像をそれぞれ対応付けて記録媒体に記録する処理を行う記録処理手段とを備える撮像装置であって、
日時及び予定内容をそれぞれ対応付けて規定したスケジュールを取得する取得手段と、
該取得手段が取得したスケジュールから前記日時特定手段が特定した撮像日時に対応する予定内容を特定する内容特定手段とを備え、
前記記録処理手段は、前記内容特定手段が特定した予定内容の日時に対応する撮像画像に前記予定内容を対応付けて記録媒体に記録する処理を行うことを特徴とする撮像装置。
【請求項２】
撮像に係る撮像日時を特定する日時特定手段と、該日時特定手段が特定した撮像日時及び該撮像日時の撮像画像をそれぞれ対応付けて記録媒体に記録する処理を行う記録処理手段とを備える撮像装置であって、
日時及び予定内容をそれぞれ対応付けて規定したスケジュールを作成する作成手段と、
該作成手段が作成したスケジュールから前記日時特定手段が特定した撮像日時に対応する予定内容を特定する内容特定手段とを備え、
前記記録処理手段は、前記内容特定手段が特定した予定内容の日時に対応する撮像画像に前記予定内容を対応付けて記録媒体に記録する処理を行うことを特徴とする撮像装置。
【請求項３】
撮像画像を再生する場合、記録媒体に記録された撮像画像に対応付けてある予定内容を該撮像画像に重合して表示する処理を行う表示処理手段を備える請求項１又は請求項２に記載の撮像装置。
【請求項４】
前記予定内容は、場所に係る情報を有することを特徴とする請求項１乃至請求項３のいずれか１つに記載の撮像装置。
【請求項５】
前記スケジュールを更新する更新手段と、
該更新手段がスケジュールを更新した場合、更新日時を記録媒体に記録する処理を行う手段と、
前記表示処理手段が表示する処理を行う場合、処理対象の撮像画像に対応する撮像日時及び前記更新日時を比較して新しさを判断する判断手段と、
該判断手段により更新日時が撮像日時に比べて新しいと判断された場合、前記表示処理手段は、予定内容を撮像画像に重合しないことを特徴とする請求項３又は請求項４に記載の撮像装置。
【請求項６】
撮像に係る位置情報を取得する位置取得手段と、
位置情報に対応する地名を含む地名データベースと、
該地名データベースに基づき前記位置取得手段が取得した位置情報に対応する地名を特定する地名特定手段とを備え、
前記表示処理手段は、前記地名特定手段が特定した地名を撮像画像に重合して表示する処理を行うことを特徴とする請求項３乃至請求項５のいずれか１つに記載の撮像装置。
【請求項７】
データベースを記録するデータベース記録装置と通信することが可能であり、撮像画像及び撮像日時のそれぞれを対応付けて記録媒体に記録する撮像装置が、記録された撮像画像の表示処理を行う撮像画像表示システムであって、
前記データベース記録装置は、日時及び予定内容がそれぞれ対応付けて規定してあり、識別情報が付されたスケジュールを含むスケジュールデータベースを記録しており、
前記撮像装置は、
スケジュールの識別情報を取得する取得手段と、
該取得手段が取得した識別情報及び撮像画像に対応付けてある撮像日時を前記データベース記録装置へ送信する手段とを備え、
前記データベース記録装置は、
受信した識別情報に係るスケジュールを前記スケジュールデータベースの中から特定する手段と、
特定したスケジュールから受信した撮像日時に対応付けてある予定内容を特定する手段と、
特定した予定内容を前記撮像装置へ送信する手段とを備え、
前記撮像装置は更に、
受信した予定内容を前記撮像画像に重合して表示する処理を行う手段を備えることを特徴とする撮像画像表示システム。
【請求項８】
前記データベース記録装置は、
スケジュールデータベースに含まれるスケジュールを更新する手段と、
更新されたスケジュールに更新情報を付す手段と、
識別情報を受信した場合、受信した識別情報に係るスケジュールに更新情報が付してあるか否かを判断する手段と、
更新情報が付してあると判断された場合、非表示指示を前記撮像装置へ送信する手段とを備え、
前記撮像装置は、
非表示指示を受信した場合、予定内容を重合しないで撮像画像を表示する処理を行うことを特徴とする請求項７に記載の撮像画像表示システム。
【請求項９】
前記データベース記録装置は、位置情報に対応する地名を規定した地名データベースを記録しており、
前記撮像装置は、
撮像に係る位置情報を取得する位置情報取得手段と、
該位置情報取得手段が取得した位置情報を前記データベース記録装置へ送信する手段とを備え、
前記データベース記録装置は、
受信した位置情報に係る地名を前記地名データベースから特定する手段と、
特定した地名を前記撮像装置へ送信する手段とを備え、
前記撮像装置は更に、
受信した地名を前記撮像画像に重合して表示する処理を行う手段を備えることを特徴とする請求項７又は請求項８に記載の撮像画像表示システム。
【発明の詳細な説明】
【技術分野】
【０００１】
本発明は、撮像した画像にスケジュールの予定内容、地名等を重ね合わせて表示できるようにした撮像装置及び撮像画像表示システムに関する。
【背景技術】
【０００２】
従来、デジタルカメラ、デジタルビデオカメラと云った静止画、動画の撮像を行う様々な撮像装置が普及している。このような撮像装置は液晶パネル等で形成されたモニタ部を備え、撮像した画像をモニタ部で表示可能にしている。また、撮像装置は通常、テレビジョン装置のような外部の表示装置を接続できる接続端子を具備し、この接続端子に接続した外部の表示装置に撮像した画像を表示させる処理も実行可能である。
【０００３】
撮像した画像をモニタ部又は外部の表示装置で表示する際、撮像装置は撮像日時を画像の隅に重合表示できるようにしている。重合表示を行うために撮像装置はクロック機能を内蔵し、クロック機能がカウントする日時を撮像毎に対応させて記録することにより、撮像日時を表示可能にしている。
【０００４】
なお、特許文献１には、撮像装置にＧＰＳ（Global Positioning Systems）に基づいた位置検出機能、及びインターネットとの通信機能を持たせて撮像した位置、及びその位置に関連した情報を取得して撮像画像と共に表示できるようにした内容が開示されている。
【特許文献１】特開平１１−７２３４８号公報
【発明の開示】
【発明が解決しようとする課題】
【０００５】
従来の一般的な撮像装置では、撮像画像に重合して表示できる内容は撮像日時に限定され、その他の内容は表示できないと云う問題がある。また、撮像画像に他の情報を重ね合わせて表示するには、例えば、撮像画像をコンピュータに取り込んでコンピュータ上で所要の編集作業を行うことが要求されるので、一般的なユーザには編集作業の負担が大きく、撮像画像に各種情報を重合して表示させることは容易ではない。
【０００６】
また、特許文献１に係る撮像装置を使用すれば、撮像日時以外にも撮像位置に関連した情報を撮像画像と共に表示可能になるが、この撮像装置ではＧＰＳに基づいた位置検出機能及び通信機能等が必須となるので、撮像装置の構成が複雑となり装置費用も上昇すると云う新たな問題が生じる。
【０００７】
一方、撮像装置は携帯されてユーザと共に移動するため、撮像が行われる場所はユーザの行動予定及び場所等を規定したスケジュールの内容と関連することが想定されるが、従来の一般的な撮像装置及び特許文献１に係る撮像装置はユーザのスケジュールを利用していない。
【０００８】
本発明は、斯かる事情に鑑みてなされたものであり、ユーザのスケジュールに含まれる予定内容を利用することにより、撮像時間以外の情報としてユーザのスケジュールの予定内容に含まれる情報を撮像画像と共に表示できるようにした撮像装置及び撮像画像表示システムを提供することを目的とする。
また、本発明は、スケジュールに含まれる場所の情報を利用することで、ＧＰＳを利用した位置検出機能を備えることなしに、撮像場所に関連した内容を撮像画像と共に表示できるようにした撮像装置及び撮像画像表示システムを提供することを目的とする。
さらに、本発明は撮像装置にＧＰＳ機能又は通信機能を補足的に設けた場合は、検出した緯度経度に対応する地名を撮像画像と共に表示可能にした撮像装置及び撮像画像表示システムを提供することを目的とする。
【課題を解決するための手段】
【０００９】
上記課題を解決するために本発明に係る撮像装置は、撮像に係る撮像日時を特定する日時特定手段と、該日時特定手段が特定した撮像日時及び該撮像日時の撮像画像をそれぞれ対応付けて記録媒体に記録する処理を行う記録処理手段とを備える撮像装置であって、日時及び予定内容をそれぞれ対応付けて規定したスケジュールを取得する取得手段と、該取得手段が取得したスケジュールから前記日時特定手段が特定した撮像日時に対応する予定内容を特定する内容特定手段とを備え、前記記録処理手段は、前記内容特定手段が特定した予定内容の日時に対応する撮像画像に前記予定内容を対応付けて記録媒体に記録する処理を行うことを特徴とする。
【００１０】
本発明にあっては、撮像装置がユーザのスケジュールを取得し、撮像した際の日時に対応するユーザの予定内容をスケジュールから特定し、その特定した予定内容を撮像画像に対応付けて記録するので、撮像画像及び予定内容が組み合わされた状態で保存されることになる。そのため、保存された撮像画像を再生表示する場合、組み合わされた予定内容も再生処理に生かすことが可能になる。なお、スケジュールの取得手段としては、ユーザが撮像装置とは別のコンピュータ又はＰＤＡ等の情報処理装置でスケジュールを作成し、作成したスケジュールを記録媒体を介して撮像装置が取得すること、撮像装置に赤外通信、有線通信、無線通信等の通信を行う手段を設け、情報処理装置から通信によりスケジュールを取得すること等が考えられる。
【００１１】
本発明に係る撮像装置は、撮像に係る撮像日時を特定する日時特定手段と、該日時特定手段が特定した撮像日時及び該撮像日時の撮像画像をそれぞれ対応付けて記録媒体に記録する処理を行う記録処理手段とを備える撮像装置であって、日時及び予定内容をそれぞれ対応付けて規定したスケジュールを作成する作成手段と、該作成手段が作成したスケジュールから前記日時特定手段が特定した撮像日時に対応する予定内容を特定する内容特定手段とを備え、前記記録処理手段は、前記内容特定手段が特定した予定内容の日時に対応する撮像画像に前記予定内容を対応付けて記録媒体に記録する処理を行うことを特徴とする。
【００１２】
本発明にあっては、撮像装置でユーザのスケジュールを作成し、撮像した際の日時に対応するユーザの予定内容をスケジュールから特定し、その特定した予定内容を撮像画像に対応付けて記録するので、撮像画像及び予定内容が組み合わされた状態で保存されることになる。そのため、保存された撮像画像を再生表示する場合、組み合わされた予定内容も再生処理に生かすことが可能になる。なお、本発明では、撮像装置でスケジュールの作成が行われるので、撮像装置のみでスケジュールの予定内容と撮像画像とを対応付けた記録処理を完了でき、スケジュールを所得する場合に比べてユーザの手間を低減でき、また、作成されたスケジュールは通常のスケジュール的な利用以外に使用されることになるので、スケジュールの利用目的も広げられる。
【００１３】
本発明に係る撮像装置は、撮像画像を再生する場合、記録媒体に記録された撮像画像に対応付けてある予定内容を該撮像画像に重合して表示する処理を行う表示処理手段を備えることを特徴とする。
【００１４】
本発明にあっては、撮像装置が、記録されている予定内容を撮像画像に重合して表示する処理を行うので、ユーザは自身のスケジュールに関する様々な情報を撮像画像と共に確認できるようになり、撮像画像に関する各種情報を容易に把握できる。例えば、スケジュールにおいて、ある１日の午前１０時から午前１１まで「隅田川沿い、散歩」と云った予定内容が規定されていた場合、午前１０時から午後１１時の間に撮像を行えば、その時間帯に撮像された撮像画像は「隅田川沿い、散歩」と云う予定内容と組み合わされて保存される。そのため、その撮像画像を再生すると、撮像画像の隅に「隅田川沿い、散歩」と云った情報が表示され、表示されている画像は隅田川を散歩した際に撮像されたものであることが一目で分かるようになる。
【００１５】
本発明に係る撮像装置は、前記予定内容は、場所に係る情報を有することを特徴とする。
本発明にあっては、スケジュールの予定内容に場所に係る情報が含まれるので、撮像装置がＧＰＳ機能及び通信機能を具備しなくても、スケジュールに規定された場所に係る情報により撮像された場所をある程度特定できるようになり、撮像画像と共に表示される場所の情報によりユーザは撮像された場所を把握できる。なお、場所に係る情報としては、地名、住所、町名、建物名、川の名称、山の名称、観光地の名称、寺や神社等の名称などが相当し、また、ユーザの主観により規定される「友人Ａの家」「親類の家」等の内容も含むものする。
【００１６】
本発明に係る撮像装置は、前記スケジュールを更新する更新手段と、該更新手段がスケジュールを更新した場合、更新日時を記録媒体に記録する処理を行う手段と、前記表示処理手段が表示する処理を行う場合、処理対象の撮像画像に対応する撮像日時及び前記更新日時を比較して新しさを判断する判断手段と、該判断手段により更新日時が撮像日時に比べて新しいと判断された場合、前記表示処理手段は、予定内容を撮像画像に重合しないことを特徴とする。
【００１７】
本発明にあっては、スケジュールが更新された場合、撮像日時と更新日時とを比較し、更新日時が撮像日時に比べて新しいときは、スケジュールの予定内容が更新されて実際のユーザの行動内容と相異する可能性があるので、予定内容を撮像画像に重合しないようにする。その結果、撮像画像が表示される際、誤った情報が一緒に表示される可能性を回避でき、ユーザが撮像画像に関する情報を誤って把握する事態を未然に防止できる。
【００１８】
本発明に係る撮像装置は、撮像に係る位置情報を取得する位置取得手段と、位置情報に対応する地名を含む地名データベースと、該地名データベースに基づき前記位置取得手段が取得した位置情報に対応する地名を特定する地名特定手段とを備え、前記表示処理手段は、前記地名特定手段が特定した地名を撮像画像に重合して表示する処理を行うことを特徴とする。
【００１９】
本発明にあっては、撮像装置が位置情報取得手段を備え、取得された位置情報に対応する地名を特定して、その地名を撮像画像に重合するので、客観的な位置情報に対応した地名を撮像画像と共に表示でき、撮影場所が一段と明確になる。即ち、スケジュールの予定内容に含まれる情報の中には、場所に関する情報も存在する場合があるが、その場所に関する情報はユーザの主観に基づき規定されるので、撮像場所を客観的に把握できにくいこともあるが、上述したような客観的な位置情報に基づき地名を撮像画像に重合表示することで、一般的な地名により撮像場所を容易に把握できるようになる。
【００２０】
本発明に係る撮像画像表示システムは、データベースを記録するデータベース記録装置と通信することが可能であり、撮像画像及び撮像日時のそれぞれを対応付けて記録媒体に記録する撮像装置が、記録された撮像画像の表示処理を行う撮像画像表示システムであって、前記データベース記録装置は、日時及び予定内容がそれぞれ対応付けて規定してあり、識別情報が付されたスケジュールを含むスケジュールデータベースを記録しており、前記撮像装置は、スケジュールの識別情報を取得する取得手段と、該取得手段が取得した識別情報及び撮像画像に対応付けてある撮像日時を前記データベース記録装置へ送信する手段とを備え、前記データベース記録装置は、受信した識別情報に係るスケジュールを前記スケジュールデータベースの中から特定する手段と、特定したスケジュールから受信した撮像日時に対応付けてある予定内容を特定する手段と、特定した予定内容を前記撮像装置へ送信する手段とを備え、前記撮像装置は更に、受信した予定内容を前記撮像画像に重合して表示する処理を行う手段を備えることを特徴とする。
【００２１】
本発明にあっては、ユーザのスケジュールは撮像装置ではなく、データベース記録装置で保存するので、撮像装置は多大なデータが含まれるスケジュールの保存から解放されて保存に係る構成を簡略化できる。また、撮像画像の表示を行うときに識別情報及び撮像日時をデータベース記録装置へ送信して、スケジュールの予定内容を取得するので、予定内容と撮像画像とを重合して表示可能になる。なお、データベース記録装置と撮像装置との通信はインターネットのような広域のネットワーク、又はＬＡＮ（Local Area Network）のような狭域のネットワークを介して行うことが考えられる。また、撮像装置での識別情報の取得は、ユーザが識別情報の入力することで行うこと等が考えられる。
【００２２】
本発明に係る撮像画像表示システムは、前記データベース記録装置は、スケジュールデータベースに含まれるスケジュールを更新する手段と、更新されたスケジュールに更新情報を付す手段と、識別情報を受信した場合、受信した識別情報に係るスケジュールに更新情報が付してあるか否かを判断する手段と、更新情報が付してあると判断された場合、非表示指示を前記撮像装置へ送信する手段とを備え、前記撮像装置は、非表示指示を受信した場合、予定内容を重合しないで撮像画像を表示する処理を行うことを特徴とする。
【００２３】
本発明にあっては、データベース記録装置でスケジュールが更新されたとき、そのスケジュールに更新情報を付し、撮像装置から送信されてきた識別情報に係るスケジュールに更新情報が付してあると判断された場合に非表示指示を撮像装置へ送信するので、撮像装置では予定内容が表示されなくなる。そのため、更新前の古い内容をユーザが見て撮影画像に関する情報を誤認すると云う事態を防止できる。
【００２４】
本発明に係る撮像画像表示システムは、前記データベース記録装置は、位置情報に対応する地名を規定した地名データベースを記録しており、前記撮像装置は、撮像に係る位置情報を取得する位置情報取得手段と、該位置情報取得手段が取得した位置情報を前記データベース記録装置へ送信する手段とを備え、前記データベース記録装置は、受信した位置情報に係る地名を前記地名データベースから特定する手段と、特定した地名を前記撮像装置へ送信する手段とを備え、前記撮像装置は更に、受信した地名を前記撮像画像に重合して表示する処理を行う手段を備えることを特徴とする。
【００２５】
本発明にあっては、データベース記録装置が地名データベースを記録し、撮像装置は位置情報取得手段を有し、撮像装置が取得した位置情報に対応する地名をデータベース記録装置で特定して撮像装置で表示可能にしているので、客観的な地名を撮像画像と共に表示できるようになり、撮影が行われた場所を明確に示すことができる。
【発明の効果】
【００２６】
本発明にあっては、撮像装置が取得したユーザのスケジュールから撮像日時に対応する予定内容を特定し、その特定した予定内容を撮像画像に対応付けて記録するので、撮像画像及び予定内容を組み合わせて保存でき、撮像画像の再生表示の際に、撮像画像に対応する予定内容を容易に利用できる。
本発明にあっては、撮像装置でスケジュールを作成できると共に、作成したスケジュールから撮像日時に対応する予定内容を特定し、その特定した予定内容を撮像画像に対応付けて記録するので、撮像画像の再生表示の際に、撮像画像に応じた予定内容を容易に利用できる。
【００２７】
本発明にあっては、撮像装置が、記録されている予定内容を撮像画像に重合して表示する処理を行うので、ユーザは自身のスケジュールに関する様々な情報を撮像画像と共に確認でき、撮像画像に関する各種情報を把握できる。
本発明にあっては、スケジュールの予定内容に場所に係る情報が含まれるので、撮像画像と共に表示される場所に係る情報より、ユーザは撮像場所を把握できる。
【００２８】
本発明にあっては、スケジュールが更新された場合、撮像装置は、予定内容を撮像画像に重合しないので、ユーザが撮像画像に関する事実と相違する可能性の高い情報を誤って把握する事態を防止できる。
本発明にあっては、撮像装置が位置情報取得手段及び地名データベースを備えるので、位置情報に対応した客観的な地名を撮像画像と共に表示でき、ユーザは明確に撮像場所を把握できる。
【００２９】
本発明にあっては、データベース記録装置がユーザのスケジュールを保存するので、撮像装置はスケジュールの保存又は作成に係る構成を省略できる。また、データベース装置が保存するスケジュールは識別情報に基づき識別されることから、撮像装置は撮像画像に関する情報を識別情報に係るスケジュールから抽出して撮像画像と共に表示できる。
【００３０】
本発明にあっては、データベース記録装置でスケジュールが更新されたとき、撮像装置では予定内容を表示しないので、更新前の古い内容をユーザが見て撮影に関する情報を誤認すると云う事態を防止できる。
本発明にあっては、データベース記録装置が地名データベースを記録し、撮像装置は位置情報取得手段を有し、撮像装置が取得した位置情報に対応する地名をデータベース記録装置で特定して撮像装置で表示するので、撮影場所を明確に示すことができる。
【発明を実施するための最良の形態】
【００３１】
図１は、本発明の第１実施形態に係る撮像装置１を示す。本実施形態の撮像装置１は、スケジュール作成機能を具備すると共に、作成したスケジュールの予定内容を撮像した画像に重合して表示可能にしたことを特徴としている。撮像装置１は、ボックス状の筐体２の前面２ａに撮像レンズ３を設けると共に、背面２ｂにモニタ部４、並びに上下左右キー５ａ〜５ｄ、決定キー５ｅ及びモード切替ボタン５ｆ、シャッターボタン５ｇ等を含む操作部５を設けている。なお、本実施形態の撮像装置１は静止画及び動画の両方の撮像に対応しているが、静止画又は動画のいずれか一方の撮像のみに対応した構成にしてもよい。
【００３２】
図２は、撮像装置１の本発明に関連する箇所の内部構成を示すブロック図である。撮像装置１は、Ａ／Ｄ変換部１１、バッファメモリ１２、ＲＡＭ１３、ＲＯＭ１４、接続インタフェース部１６、信号処理部１７、画像圧縮伸張部１８、表示インタフェース部１９、各種制御処理を行う制御部２０、及び外部接続端子部２２を各種信号の伝送が可能なシステムバス１ａで接続した構成にしている。以下、各部１１〜２２を説明する。
【００３３】
Ａ／Ｄ変換部１１は、撮像レンズ３を通過した光像に対して撮像処理を行うＣＣＤ（Charge Coupled Device）１０と接続されており、ＣＣＤ１０での光電変換により生成されたアナログの画像信号（画像）が入力されるようになっている。Ａ／Ｄ変換部１１は、入力されたアナログの画像信号を所定の増幅率で増幅する機能、増幅した画像信号を一定のタイミング毎にサンプリングする相関二重サンプリング機能（ＣＤＳ）等を具備し、ＣＤＳのサンプリング処理により得られた各値をデジタル信号に変換し、変換したデジタルの画像信号を信号処理部１７へ伝送する処理を制御部２０の制御に基づき行う。
【００３４】
バッファメモリ１２は、画像圧縮伸張部１８等で処理中の画像信号を一時的に記録するものである。また、ＲＡＭ１３は、ＳＲＡＭ又はフラッシュメモリ等で構成され、制御部２０の処理に伴い発生する各種データを一時的に記録する。さらに、ＲＯＭ１４は、撮像に係る処理、撮像した画像に対する処理、画像を記録する処理、画像を再生表示する処理、及びスケジュールの作成に係る処理等に対する制御内容を規定した制御部２０用のプログラムを記録すると共に、図５に示すような各種メニュー用の画像データを記録する。
【００３５】
接続インタフェース部１６は、記録媒体であるハードディスク装置１５と接続されており、撮像した画像及び作成したスケジュールに係るデータをハードディスク装置１５へ記録する処理及び記録されているデータを読み出して再生する処理等を制御部２０の制御に基づき行う。なお、本実施形態の接続インタフェース部１６は、ＣＦ（Compact Flash）型のハードディスク装置１５との接続に対応した形態となっており、撮像装置１は、筐体２の側面部に挿抜可能なハードディスク装置１５の差し込み用のスロット（図示せず）を設けている。
【００３６】
信号処理部１７は、上述したＡ／Ｄ変換部１１から伝送されてくる画像信号に対して、ガンマ補正処理、フィルタリング処理、輪郭強調処理などの所定の信号処理を制御部２０の制御に基づき行っており、具体的には画像信号としてＹＵＶ信号（Ｙ：輝度信号、Ｕ：赤の色差信号、Ｖ：青の色差信号）を生成し、生成したＹＵＶ信号（画像信号）を画像圧縮伸張部１８へ伝送する処理を行う。
【００３７】
画像圧縮伸張部１８は、制御部２０の制御に基づきコーデック処理を行っており、本実施形態では動画撮像の場合、ＭＰＥＧ（Moving Picture Expert Group）方式に基づいた圧縮及び伸長処理を、信号処理部１７から伝送されてくる画像信号に対して行う。なお、画像圧縮伸張部１８は、圧縮処理を行った画像信号を接続インタフェース部１６へ伝送して、ハードディスク装置１５で記録させる。また、画像圧縮伸張部１８はハードディスク装置１５から読み出して伸長処理を行った画像信号を、画像表示のときは表示インタフェース部１９へ伝送し、外部装置へ出力するときは外部接続端子部２２へ伝送する処理を行う。
【００３８】
表示インタフェース部１９は、筐体２に設けられた液晶パネル製のモニタ部４が接続されており、画像圧縮伸張部１８から伝送されてきた画像信号をモニタ部４に画像として表示させるための処理を行う。特に本実施形態の撮像装置１では、撮像された画像を表示する際に、撮像日時、スケジュールの予定内容を撮像された画像に重合してモニタ部４に表示可能にしており（図６、７参照）、制御部２０の制御処理により重合された画像に対する表示処理も表示インタフェース部１９が行う。なお、表示インタフェース部１９は撮像された画像の表示以外に、ＲＯＭ１４に記録されている各種メニューに係る画像及びハードディスク装置１５に記録されるスケジュール等の表示に係る処理も行う。
【００３９】
また、外部接続端子部２２は、テレビジョン装置のような外部の表示装置（図示せず）の接続用であり、画像圧縮伸張部１８から伝送されてきた画像信号を外部へ出力する処理制御部２０の制御に基づきを行う。なお、画像信号が出力されることで、モニタ部４で表示される画像を外部の表示装置でも同様に表示可能となる。なお、外部接続端子部２２は、撮像画像以外に各種メニューに係る画像及びスケジュール等も出力して外部の表示装置に表示させることを可能にしている。
【００４０】
最後に制御部２０は、上述した各部１０〜２２が行う処理に対する制御を行っている。制御部２０は操作部５が接続されており、操作部５がユーザから受け付ける操作に基づき、スケジュールの作成、撮像、撮像画像の表示等に係る制御処理を行う。また、制御部２０は計時回路部２１を内蔵しており、日時を随時計時すると共に、撮像が行われた日時を撮像日時として特定し、その特定した撮像日時を撮像した画像と対応付けてハードディスク装置１５へ記録させる処理を行う。以下、制御部２０の詳しい処理内容を説明する。
【００４１】
先ず、本実施形態の撮像装置１は、処理を行う状態としてスケジュールモード、撮像モード、表示モードの計３種類のモードを有し、電源が入れられた直後は撮像モードになっており、操作部５のモード切替ボタン５ｆが操作されることで、制御部２０は撮像モード、表示モード、スケジュールモードを順次切り替える処理を行う。
【００４２】
スケジュールモードでは、スケジュールの作成、作成したスケジュールをモニタ部４又は外部接続端子部２２に接続された外部の表示装置で表示すること、作成したスケジュールの更新などを行う。よって、スケジュールモードの入ると、制御部２０は、スケジュールの作成、表示、更新のいずれかの項目を選択できるスケジュールメニュー（図示せず）をモニタ部４に表示させる処理を行い、上下キー５ａ、５ｂ及び決定キー５ｅがユーザに操作されて、各項目の一つが選択されることになる。
【００４３】
スケジュールの作成が選択された場合、制御部２０は、モニタ部４にスケジュール作成用のメニュー（図示せず）を表示させる処理を行う。スケジュール作成メニューでは、必須入力項目として「日時」と「内容」の項目があり、任意の入力項目として「場所」「備考」の項目が存在する。なお、「内容」「場所」「備考」の内容はスケジュールの予定内容に相当する。このような各項目に対して操作部５でユーザの操作入力を受け付けることにより、制御部２０はユーザの予定内容及び日時をそれぞれ対応付けて規定したスケジュールを作成する処理を行う。
【００４４】
図３は、作成されたスケジュール３０の一例を示している。このスケジュール３０では、ユーザの３つの予定内容が規定されており、１つ目の予定内容として「日時」の項目に「２００４年１２月１２日  ９時〜１１時」、「内容」の項目に「散歩」、「場所」の項目に「隅田川」がそれぞれ入力されている。
【００４５】
以下、２つ目の予定内容では「日時」の項目に「２００４年１２月１２日  １１時３０分〜１３時３０分」、「内容」の項目に「食事」、「場所」の項目に「銀座」、「備考」の項目に「友人Ａ」がそれぞれ入力されており、３つ目の予定内容では「日時」の項目に「２００４年１２月１２日  １４時５０分〜１７時」、「内容」の項目に「散策」、「場所」の項目に「鎌倉」、「備考」の項目に「友人Ａ」がそれぞれ入力されて、計３つの予定内容が作成されている。なお、制御部２０はスケジュールの作成が終了すると、作成したスケジュールに作成日時を付してハードディスク装置１５に記録する処理を行う。
【００４６】
また、スケジュールメニューでスケジュールの表示が選択された場合、制御部２０は、ハードディスク装置１５に記録されているスケジュールを読み出してモニタ部４に表示させる処理を行う（図１参照）。モニタ部４に表示されたスケジュールは、操作部５の左右キー５ｃ、５ｄがユーザの操作を受け付けることで、左右にスクロール可能になっている。なお、外部接続端子部２２に外部の表示装置が接続されている場合は、モニタ部４と同様に外部の表示装置でもスケジュールを表示することが可能である。
【００４７】
さらに、スケジュールメニューでスケジュールの更新が選択された場合、制御部２０は、ハードディスク装置１５に記録されているスケジュールを読み出してモニタ部４に表示すると共に、表示されたスケジュールに含まれる日時及び予定内容（内容、場所、備考の項目）を選択可能にする。この状態で、操作部５の左右キー５ｃ、５ｄ及び決定キー５ｅがユーザの操作を受け付けることで、更新する対象が選択され、選択された対象が操作部５の操作により編集されてスケジュールが更新される。なお、スケジュールの更新が完了すると、制御部２０は更新したスケジュールに付された作成日時以外に更新日時も付して、その更新されたスケジュールをハードディスク装置１５へ記録する処理を行う。
【００４８】
また、撮像装置１の撮像モードでは、静止画撮像及び動画撮像の２種類が存在し、静止画撮像の場合、操作部５に含まれるシャッターボタン５ｇが操作されることで、ＣＣＤ１０でアナログの画像信号が取得されると共に、Ａ／Ｄ変換部１１、信号処理部１７及び画像圧縮伸張部１８等で所定の処理が行われてハードディスク装置１５に静止画（画像）が記録されるように制御部２０が制御を行う。また、動画撮像の場合、操作部５に含まれる録画ボタン（図示せず）が操作されることで、ＣＣＤ１０で撮像される画像信号が所要のフレームレート（例えば１秒当たり３０フレーム）で取り込まれ、Ａ／Ｄ変換部１１、信号処理部１７及び画像圧縮伸張部１８等で処理が行われてハードディスク装置１５に動画（画像）が記録されるように制御部２０が制御を行う。
【００４９】
上述したように撮像を行って画像（撮像画像）を記録する際、制御部２０は画像を構成するデータに撮像日時及びその撮像日時に対応するスケジュールでの予定内容を撮像画像と対応付けて記録する処理を行う。
【００５０】
図４は、ハードディスク装置１５に記録された撮像画像を構成するデータ構造を概念的に示したものである。撮像画像を構成するデータＤはヘッダ部ｄ１、付加情報部ｄ２、及びコンテンツ部ｄ３に分かれており、ヘッダ部ｄ１には所要の画像規格に応じた情報が書き込まれ、付加情報部ｄ２には、「撮像日時」に加えてスケジュールの予定内容に相当する「内容」「場所」「備考」の項目に入力された内容が書き込まれ、コンテンツ部ｄ３には撮像画像自体に係る画像データが書き込まれている。
【００５１】
データＤの付加情報部ｄ２に書き込まれる「撮像日時」は制御部２０の計時回路部２１で計時される日時が用いられており、「内容」「場所」「備考」に関しては、「撮像日時」に書き込まれた日時とスケジュールに規定された日時とをヒモ付けて対応する予定内容をスケジュールから特定して抽出する処理を制御部２０が行う。
【００５２】
具体的には、図４に示す「撮像日時」が２００４年１２月１２日の９時３１分に対応する時間帯を図３のスケジュールで参照すると、９時から１１時までは「内容」に散歩、「場所」に隅田川が規定されているので、「撮像日時」に対応するスケジュール中の日時（時間帯）で規定されている予定内容（内容：散歩、場所：隅田川）を制御部２０は特定し、その特定した内容を付加情報部ｄ２に書き込んで記録する処理を行う。なお、図３のスケジュールの９時から１１時の「備考」は空白なので、制御部２０はデータＤの付加情報部ｄ２の「備考」に対して何も書き込まない。
【００５３】
一方、撮像装置１の表示モードでは、ハードディスク装置１５に記録されている撮像画像がモニタ部４で表示されることになるが、表示対象の画像の選択を行うために、ハードディスク装置１５に記録されている各画像をサムネイルにしてモニタ部４で表示する処理を制御部２０が行う。このサムネイル表示状態で、操作部５の上下左右キー５ａ〜５ｄ及び決定キー５ｅの操作により、いずれかのサムネイルが選択されることで、制御部２０は選択されたサムネイルに係る画像をモニタ部４で全画面的に表示する制御処理を行う。
【００５４】
また、画像の表示に関する設定を行うために図５に示す表示内容選択メニュー３１をモニタ部４に表示する処理の制御を制御部２０は行う。表示内容選択メニュー３１は、「撮像日時」「内容」「場所」「備考」の項目内容に対し「表示」「非表示」のいずれかを操作部５の上下左右キー５ａ〜５ｄ及び決定キー５ｅの操作により選択できるようになっている。
【００５５】
各項目に対して「表示」が選択された場合、制御部２０は先ず表示対象に選択された撮像画像をハードディスク装置１５から読み出して、一旦ＲＡＭ１３に記憶させ、「表示」が選択された項目の内容を撮像画像の所要箇所に重ね合わせて重合画像を作成し、作成した重合画像を表示インタフェース部１９へ伝送してモニタ部４で表示させる処理を行わせる。本実施形態では、「撮像日時」は画像の左上隅に重合し、スケジュールの予定内容は画像の右上隅に重合するようにしている。また、各項目に対して「非表示」が選択された場合、制御部２０は「非表示」の項目の重合処理は行わない。なお、外部の表示装置で撮像画像を表示させる場合、制御部２０は作成した重合画像を外部接続端子部２２から外部へ出力させる制御を行う。
【００５６】
図６は、モニタ部４で表示される撮像画像の一例であり、図５の表示内容選択メニュー３１で「撮像日時」「内容」「場所」「備考」の全項目に対し「表示」が選択された場合を示している。そのため、モニタ部４に表示された撮像された画像３２（静止画）の左上隅には「撮像日時」として「２００４．１２．１２  ９：３１」と云う撮像された日時が重合されて表示され、画像３２の右上隅には「場所」「内容」として「隅田川  散歩」と云うスケジュールの予定内容が重合して表示される。モニタ部４にこのような画像３２が表示されることで、画像３２は隅田川沿いを散歩した際に撮像したものであることをユーザは一目で把握可能となる。なお、画像３２は、図４に示すデータＤの内容に対応している。
【００５７】
また、図７は、モニタ部４で表示される別の撮像画像の例であり、表示される画像３３は、２００４年１２月１２日の１２時４０分に撮像されたものであり、図３のスケジュールの予定内容に従って、画像３３の右上には「友人Ａ  銀座  食事」と云う「備考」「場所」「内容」が表示される。なお、図５の表示内容選択メニュー３１で全項目に対し「非表示」が選択されているときは、図６、図７の撮像画像の左上隅及び右上隅には、何も表示されない。
【００５８】
さらに、制御部２０はスケジュールの予定内容を重合する処理を行う際、表示対象の画像の撮像日時とスケジュールの更新日時とを比較して、どちらの日時が新しいかを判断しており、更新日時の方が撮像日時に比べて新しいと判断したときは、表示内容選択メニュー３１で「内容」「場所」「備考」の項目に対して「表示」が選択されていても、「内容」「場所」「備考」に対するスケジュールの予定内容を重合しないで画像を表示する処理を行う。
【００５９】
このようにスケジュールの更新日時が撮像日時より新しい場合は、撮像時には更新前の古いスケジュールの予定内容が撮像画像に対応付けて記録されるので、現実に行った内容がスケジュールの予定内容と相異することもあるため、重合表示を行わないことにより、不確かな内容をユーザの目に触れないようにしている。なお、スケジュールが更新された時は、記録されるデータ量を削減するため、ハードディスク装置１５に記録されている撮像画像のデータよりスケジュールの予定内容を削除破棄してもよい。
【００６０】
図８は、上述した撮像装置１の表示モードにおける本発明の特徴となる部分の処理手順を示した第１フローチャートである。この第１フローチャートに沿って制御部２０が行う表示に係る処理を以下に整理して説明する。なお、第１フローチャートは、前提として図５の表示内容選択メニュー３１で全項目に対して「表示」が選択されているものとする。
【００６１】
先ず、撮像装置１の制御部２０は操作部５で表示モードへの切替及び表示対象の画像選択と云う画像表示操作が行われたか否かを判断する（Ｓ１）。画像表示操作が無い場合（Ｓ１：ＮＯ）、制御部２０は画像表示操作を待つ状態となり、画像表示操作があった場合（Ｓ１：ＹＥＳ）、制御部２０は次にスケジュールの更新日時が表示対象の画像の撮像日時より新しいか否かを判断する（Ｓ２）。
【００６２】
更新日時が撮像日時より新しくないと判断された場合（Ｓ２：ＮＯ）、制御部２０はスケジュールの予定内容（内容、場所、備考）を撮像画像に重合する制御処理を行い（Ｓ３）、各項目の内容を重合した撮像画像をモニタ部４に表示する制御処理を行う（Ｓ４）。一方、更新日時が撮像日時より新しいと判断された場合（Ｓ２：ＹＥＳ）、制御部２０は、スケジュールの予定内容を重合させないで、撮像画像の表示処理を行う（Ｓ４）。なお、上述した表示処理はモニタ部４に対して説明しているが、外部接続端子部２２に接続された外部の表示装置で撮像画像の表示を行う場合は、モニタ部４で表示させる画像に係るデータ（予定内容を重合したデータ又は重合していないデータ）を外部接続端子部２２から出力する処理を行うことになる。
【００６３】
以上のように本実施形態の撮像装置１では、スケジュールの予定内容を撮像画像と共に表示できるので、撮像画像に関連した様々な情報をユーザに提供でき、特に、スケジュールの予定内容に場所を規定しているときは、撮像装置１がＧＰＳ機能を具備しなくても、撮像場所を把握することが可能になる。また、上述した撮像装置１に係る構成は、具体的にはデジタルカメラ、デジタルビデオカメラ、撮像機能を有する携帯電話器、撮像機能を有するＰＤＡ、撮像機能を有する携帯型パーソナルコンピュータに適用可能である。なお、本実施形態の撮像装置１は上述した形態に限定されるものではなく種々の変形例の適用が可能である。
【００６４】
例えば、スケジュールが更新された場合で、更新日時が撮像日時より新しいときは、更新対象の予定内容が撮像画像と対応付けられて記録されているか否かを、スケジュールの日時及び撮像日時を参照して制御部２０が確認する処理を行い、もし更新対象の予定内容が撮像画像と対応付けられて記録されていれば、更新された予定内容を撮像画像と対応付けて新たに記録するようにしてもよい。この場合は、更新日時と撮像日時との時間的な前後に関係なく、表示内容選択メニュー３１で「表示」が選択されていれば、撮像画像に重合して表示する。このような変形例では、更新された予定内容が表示されるため、ユーザに不確かな内容を提供することはなくなり、更新された内容を反映して表示可能になる。
【００６５】
また、別の変形例として、撮像装置１からスケジュールの作成に係る処理を省略すると共に、外部のコンピュータ及びＰＤＡ等の情報処理装置で作成されたスケジュールを撮像装置１が取得する構成にしてもよい。この場合、挿抜可能なハードディスク装置１５を介して外部の情報処理装置で作成されたスケジュールを撮像装置１が取得できるようにすることが可能である。具体的には、ハードディスク装置１５の装着が可能な外部の情報処理装置でスケジュールを作成して一旦、ハードディスク装置１５に記録し、そのハードディスク装置１５を外部の情報処理装置から抜き取って、撮像装置１の接続インタフェース部１６（取得手段に相当）に接続することで、撮像装置１はスケジュールを取得できる。
【００６６】
さらに、スケジュール取得の例として、撮像装置１に有線又は無線による通信手段をスケジュールの取得手段として具備し、通信により外部の情報処理装置からスケジュールを取得してハードディスク装置１５に記録させるようにしてもよい。なお、有線による通信手段としては、ＵＳＢ（Universal Serial Bus）端子又はＩＥＥＥ（Institute of Electrical and Electronics Engineers Inc.）１３９４端子等を撮像装置１に設けることが考えられ、このときは外部の情報処理装置も同様な有線による通信手段を具備することが必要となる。また、無線による通信手段としては、赤外線を利用した通信部（ＩｒＤＡ）、無線ＬＡＮに基づく通信部、Ｂｌｕｅｔｏｏｔｈに基づく通信部等が考えられる。
【００６７】
図９は、本発明の第２実施形態に係る撮像装置４０の主要な内部構成を示している。第２実施形態の撮像装置４０は、基本的には図２に示す第１実施形態の撮像装置１と同様であるが、構成的にはＧＰＳ受信部４１を具備すること、ハードディスク装置１５に地名データベース４２を記録すること等が第１実施形態と相異し、新たに地名を撮像画像に重合して表示できるようにしたことが特徴である。なお、その他の構成部分は第１実施形態と同様であるため、同様な部分については第１実施形態と同様の符号を用いて、以下、第２実施形態の撮像装置４０を説明する。
【００６８】
撮像装置４０のＧＰＳ受信部４１は、図示しないＧＰＳ用の人工衛星からの電波を受信して現在の位置に関する緯度経度（位置情報）を取得する処理を行うものである。なお、ＧＰＳ受信部４１は、所定の時間間隔（例えば３秒おき）で緯度経度の取得処理を行う。また、ハードディスク装置１５に記録される地名データベース４２は、図１０に示すように、ある地名に対する緯度の範囲及び経度の範囲が対応付けて規定されたものである。
【００６９】
また、ＲＯＭ１４に記録される各メニューの画像及び制御部２０用のプログラムは、地名表示に関する処理内容が新たに規定されたものになっている。例えば、図１１に示すように表示内容選択メニュー４３は、図５の表示内容選択メニュー３１に比べて「地名」の項目に対して「表示」「非表示」が選択可能になっている。さらに、制御部２０は、ＲＯＭ１４に記録されるプログラムに基づき、撮像モードで撮像を行った場合、ＧＰＳ受信部４１が取得した緯度経度を撮像画像に対応付けてハードディスク装置１５に記録する処理を行い、具体的には図４に示すデータ構造における付加情報部ｄ２に緯度経度のデータを書き込むことになる。
【００７０】
さらにまた、表示モードで、位置情報（緯度経度）が対応付けられている撮像画像の表示処理を行う場合、制御部２０は、表示対象の撮像画像をハードディスク装置１５から読み出して、一旦ＲＡＭ１３に記憶し、その撮像画像に対応付けられている緯度経度に対応する地名をハードディスク装置１５に記録されている地名データベース４２に基づき特定する処理を行う。それから制御部２０は、特定した地名を撮像画像の左下隅に重合して重合画像を作成し、その重合画像をモニタ部４で表示又は外部接続端子部２２から外部へ出力する制御処理を行う。
【００７１】
図１２は、地名が重合された撮像画像４４を示している。この撮像画像４４では、左下隅に「東京都墨田区」と表示されるので、左上隅に表示される撮像日時及び右上隅に表示されるスケジュールの予定内容とあわせて、撮像画像４４に関連する様々な情報をユーザに提供できる。具体的には、右上隅に表示される「隅田川」と云う内容と、左下隅に表示される「東京都墨田区」と云う内容により、撮像画像４４は、複数の区域を通過して流れる隅田川の中で東京都墨田区における場所で撮像されたものであることをユーザは把握可能となる。なお、第２実施形態の撮像装置４０でも、「撮像日時」、スケジュールの予定内容に係る「内容」「場所」「備考」、及び「地名」の内容は、図１１の表示内容選択メニュー４３の設定に応じて表示／非表示が切り替えられる。
【００７２】
また、第２実施形態の撮像装置４０は、上述した箇所以外は、第１実施形態と同等の構成及び処理であるため説明を省略し、第２実施形態の撮像装置４０も第１実施形態に係る各種変形例の適用が可能である。さらに、第２実施形態の撮像装置４０も独自の変形例が存在し、例えば、撮像を行った場合、撮像画像に緯度経度を対応付けて記録させるのではなく、撮像を行った時点で取得した緯度経度に対応する地名を地名データベース４２から特定し、その特定した地名を直接的に撮像画像に対応付けて記録してもよい。この場合、撮像画像を表示するときに地名を特定する処理を行わずに済み、表示処理を迅速に行える。
【００７３】
さらにまた、地名データベース４２が規定する地名は、住所的な内容以外に、一つの基点に対する座標、方向、距離等を規定することも可能である。例えば、東京タワーの位置を基点とすると、ある緯度経度範囲に対しては東京タワーから南西へ５００〜６００メートルの箇所と云うような内容を地名として規定してもよい。
【００７４】
また、位置情報の取得には、ＧＰＳ受信部４１を用いるのではなく、携帯電話器の通信に係る通信部又はＰＨＳ（Personal Handyphone System）の通信に係る通信部を設け、各通信部が通信を行う際に経由する中継基地局の位置情報（緯度経度、地名等）を中継基地局から取得する構成にしてもよい。中継基地局から緯度経度を取得する場合は、地名データベース４２は必要となるが、中継基地局から直接的に地名を取得する場合は、地名データベース４２も不要になり、この場合は、中継基地局が自身の位置する地名を送信できる構成になっていることが必要になる。
【００７５】
図１３は、本発明の第３実施形態に係る撮像画像表示システム５０の構成を示している。撮像画像表示システム５０は、各種データベースを記録するデータベース記録装置５１と撮像装置６０とがネットワーク（インターネット）５２及び中継基地局５３ａ〜５３ｎを介して通信可能になっており、撮像装置６０が撮像した画像に係る情報をデータベース記録装置５１から取得することにより、撮像した画像に係る情報を画像に重合して表示可能にしていることが特徴である。
【００７６】
データベース記録装置５１は、ネット上でスケジュールを作成できるウェブサイトを開設しており、登録したユーザが各自スケジュールをネット上で作成でき、また、作成されたスケジュールはユーザＩＤ（スケジュールの識別情報を兼ねる）が付された状態でデータベース記録装置５１に記録保存されるようになっている。なお、登録したユーザにはユーザＩＤが付与されるものとする。
【００７７】
図１４は、データベース記録装置５１の内部構成を示すブロック図であり、ＣＰＵ５１ａ、通信部５１ｂ、ＲＯＭ５１ｃ、ＲＡＭ５１ｄ、及び記録部５１ｅが内部バスで接続された構成になっている。ＣＰＵ５１ａは様々な制御処理を行うものであり、具体的な処理内容は後述する。通信部５１ｂはネットワーク５２と接続され、外部の通信機器とＣＰＵ５１ａに制御に基づき通信を行う。ＲＯＭ５１ｃはＣＰＵ５１ａが行う処理内容を規定したプログラムを記録し、ＲＡＭ５１ｄはＣＰＵ５１ａが処理を行うデータ等を一時的に記録する。
【００７８】
また、記録部５１ｅには、大容量のハードディスク装置が適用されており、登録された各ユーザにより作成されたスケジュール５５ａ〜５５ｎを含むスケジュールデータベース５５及び図１０の地名データベース４２と同等の内容を含む地名データベース５６が記録されている。なお、記録部５１ｅには図示していないが、ウェブ上でスケジュールを作成するためにウェブサイトで表示するための各種画面データ等も記録している。
【００７９】
ＣＰＵ５１ａは、ユーザのスケジュール作成及び記録に対する処理、作成されたスケジュールを更新する処理、予定内容をスケジュール５５ａ〜５５ｎから特定する処理、地名を地名データベース５６から特定する処理、特定した内容を撮像装置６０へ送信する制御処理などを行う。
【００８０】
スケジュール作成に対して、ＣＰＵ５１ａは第１実施形態と同様に、必須入力項目として「日時」と「内容」の項目をウェブ上で入力可能にしており、任意の入力項目として「場所」「備考」の項目をウェブ上で入力可能にしており、各項目が入力されることで、日時及び予定内容（内容、場所、備考）が対応付けて規定されたスケジュールが作成されることになる。
【００８１】
なお、項目に入力するに当たりユーザのユーザＩＤが入力されるようにしており、上述した項目が入力されることでＣＰＵ２１は登録されたユーザ毎にスケジュールを作成し、作成したスケジュールにユーザＩＤ及びバージョン・ナンバーを付して記録部５１ｅに記録する処理を行う。また、作成された直後のスケジュールのバーションナンバーは「１」である。
【００８２】
スケジュールの更新に関して、ＣＰＵ５１ａは第１実施形態と同様に、作成されたスケジュールの日時及び予定内容（内容、場所、備考の項目）を選択可能にウェブ上で表示させる処理を行い、この状態でユーザから更新対象の選択を受け付けると共に、更新対象に対して編集する内容を受け付けてスケジュールを更新し、更新したスケジュールを記録部５１ｅに記録する処理を行う。
【００８３】
また、更新の際、ＣＰＵ５１ａはスケジュールに付されたバージョン・ナンバーを「１」（更新情報に相当）増加させる処理を行う。よって、スケジュールの付されたバージョン・ナンバーが「２」であるときは、そのスケジュールは１回更新されたことになり、バージョン・ナンバーが「５」であれば、そのスケジュールは４回更新されている。よって、バージョン・ナンバーが「１」を越えるときに、更新情報が付されたことになる。
【００８４】
さらに、ＣＰＵ５１ａは、通信部５１ｂを通じて撮像装置６０からユーザＩＤ、位置情報、及び撮像日時を受信すると、受信したユーザＩＤが付されたスケジュールをスケジュールデータベースの中から特定し、特定したスケジュールに対して受信した撮像日時に対応する予定内容を特定する処理を行う。さらに、ＣＰＵ５１ａは、第２実施形態における処理と同様に、受信した位置情報（緯度経度）に応じた地名を地名データベース５６から特定する処理を行う。さらにまた、ＣＰＵ５１ａは特定した予定内容及び地名を、送信元の撮像装置６０へ送信する処理を通信部５１ｂで行うように制御する。
【００８５】
なお、ＣＰＵ５１ａは予定内容を特定する際に、抽出したスケジュールのバージョン・ナンバーが２以上である場合（更新情報が付されている場合）、予定内容及び地名を特定する処理を行うことなく、非表示処理を通信部５１ｂを通じて撮像装置６０へ送信する処理を行う。
【００８６】
図１５は第３実施形態に係る撮像装置６０の内部構成を示すブロック図であり、第３実施形態の撮像装置６０は、基本的には図２に示す第１実施形態の撮像装置１と同様であるが、構成的にはＧＰＳ受信部６１及び無線通信部６２を具備すること等が第１実施形態と相異し、処理的にはスケジュールの作成機能を省略したこと、無線通信部６２によりデータベース記録装置５１から予定内容及び地名を取得するようにしたこと等が特徴である。なお、その他の構成部分は第１実施形態と同様であるため、同様な部分については第１実施形態と同様の符号を用いて、以下、第３実施形態の撮像装置６０を説明する。
【００８７】
撮像装置６０のＧＰＳ受信部６１は、第２実施形態のＧＰＳ受信部４１と同様の処理を行うものであり、図１３に示すＧＰＳアンテナ６０ａにより、ＧＰＳ用の人工衛星５４からの電波を受信して現在の位置に関する緯度経度（位置情報）を取得する。また、撮像装置６０の無線通信部６２は、図１３に示す無線アンテナ６０ｂにより、中継基地局５３ａ〜５３ｎ及びネットワーク５２を介してデータベース記録装置５１と通信処理を行う。
【００８８】
ＲＯＭ１４に記録される各メニューの画像は第２実施形態と同様であり、ＲＯＭ１４に記録される制御部２０用のプログラムは、データベースの作成に係るウェブサイトに対するユーザＩＤの受付処理及びデータベース記録装置５１との通信に係る処理内容が新たに規定されたものになっている。ユーザＩＤの受付処理は、操作部５による操作で、ユーザＩＤの入力を受け付け、受け付けたユーザＩＤをハードディスク装置１５に記録するように制御部２０は処理を行う。この処理により撮像装置６０はユーザＩＤを取得することになる。また、制御部２０は撮像の際、第２実施形態と同様にＧＰＳ受信部６１が取得した緯度経度及び撮像日時を撮像画像に対応付けてハードディスク装置１５に記録する処理を行う。
【００８９】
さらに、表示モードで、撮像画像の表示処理を行う場合、制御部２０は、表示対象の撮像画像をハードディスク装置１５から読み出して一旦ＲＡＭ１３に記憶する一方、その撮像画像に対応付けられている緯度経度（位置情報）及び撮像日時と、ハードディスク装置１５に記録されているユーザＩＤを無線通信部６２を通じてデータベース記録装置５１へ送信する制御処理を行う。
【００９０】
さらにまた、制御部２０は、送信処理に応じてスケジュールの予定内容及び地名を無線通信部６２で受信する処理を行い、受信した内容を撮像画像に重合してモニタ部４に表示又は外部接続端子部２２から外部へ出力する制御を行う。また、制御部２０は送信処理に応じて非表示指示を受信した場合は、予定内容及び地名に重合処理を行うことなく、撮像画像の表示に係る処理を行う。なお、非表示指示を受信した場合、「撮像日時」の重合処理に関しては表示／非表示の設定に応じて行う。撮像装置６０の上述した箇所以外は、第１実施形態又は第２実施形態と同等の構成及び処理であるため説明を省略する。
【００９１】
図１６の第２フローチャートは、第３実施形態の撮像画像表示システム５０における一連の表示処理手順を示したものである。この第２フローチャートに沿って撮像画像表示システム５０の撮像装置６０及びデータベース記録装置５１が行う表示に係る処理を以下に整理して説明する。なお、第２フローチャートでも、前提として重合対象の各項目に対して「表示」が選択されているものとする。
【００９２】
先ず、撮像装置６０の制御部２０は操作部５で表示モードへの切替及び表示対象の画像選択と云う表示操作が行われたか否かを判断し（Ｓ１０）、表示操作が無い場合（Ｓ１０：ＮＯ）、表示操作を待つ状態となり、表示操作があった場合（Ｓ１０：ＹＥＳ）、制御部２０は次にユーザＩＤ（識別情報）、緯度経度（位置情報）、及び撮像日時をデータベース記録装置５１へ送信する（Ｓ１１）。
【００９３】
データベース記録装置５１は、ユーザＩＤ及び緯度経度等を受信すると、先ず受信したユーザＩＤと同等のユーザＩＤが付されたスケジュール５５ａ〜５５ｎをスケジュールデータベース５５より特定する（Ｓ１２）。次に、特定したスケジュールに更新情報が付されているか、即ち、スケジュールのバージョン・ナンバーが「２」以上であるか否かをデータベース記録装置５１は判断する（Ｓ１３）。
【００９４】
バージョン・ナンバーが「２」以上であると判断された場合（Ｓ１３：ＹＥＳ）、データベース記録装置５１は、非表示指示を撮像装置６０へ送信する（Ｓ１４）。また、バージョン・ナンバーが「２」以上でない場合（Ｓ１３：ＮＯ）、データベース記録装置５１は、受信した撮像日時に対応する予定内容をスケジュールから特定すると共に、受信した緯度経度に対応する地名を地名データベース５６から特定し（Ｓ１５）、特定した予定内容及び地名を撮像装置６０へ送信する（Ｓ１６）。
【００９５】
撮像装置６０は、データベース記録装置５１から送信された予定内容及び地名を受信した場合、受信した予定内容及び地名を撮像画像に重合する処理を行って（Ｓ１７）、撮像画像を表示する処理を行う（Ｓ１８）。また、撮像装置６０は、データベース記録装置５１から送信された非表示指示を受信した場合、予定内容及び地名の重合処理を行うことなく撮像画像の表示処理を行う（Ｓ１８）。このように第３実施形態の撮像画像表示システム５０では、撮像装置６０はスケジュールの作成、並びにスケジュール及び地名データベースの記録を行わないので、撮像装置６０の処理負担及び記録処理等の負担を低減した上で、撮像に関連する各種情報を表示できる。
【００９６】
なお、第３実施形態に係る撮像装置６０の具体的な機器としては、通信機能を有するデジタルカメラ及びデジタルビデオカメラ、撮像機能を有する携帯電話器、撮像機能及び通信機能を有するＰＤＡ、撮像機能及び通信機能を有する携帯型パーソナルコンピュータが適用可能である。また、第３実施形態においても種々の変形例が存在し、例えば、撮像装置６０とデータベース記録装置５１とは広域なネットワーク５２ではなく、ＬＡＮのような狭域のネットワークで接続するようにしてもよく、この場合、データベース記録装置５１は、ウェブサイトを開設するようなものではなく、ユーザが所有するコンピュータを使用することになる。
【００９７】
さらに、撮像装置６０の記録容量が大きい場合は、撮像装置６０にデータベース化したスケジュール及び地名データベースを記録させて表示処理を行うようにしてもよい。この場合は、撮像装置６０内で処理を完了できるので、迅速な表示処理を行える。また、撮像装置６０の位置情報の取得は、第２実施形態の変形例と同様に、無線通信部６２が無線通信を行う中継基地局５３ａ〜５３ｎの位置情報を利用して、ＧＰＳ受信部６１を省略することも可能である。
【図面の簡単な説明】
【００９８】
【図１】本発明の第１実施形態に係る撮像装置の斜視図である。
【図２】第１実施形態の撮像装置の内部構成を示すブロック図である。
【図３】作成されたスケジュールの一例を示す概略図である。
【図４】撮像画像に係る概念的なデータ構造を示す図である。
【図５】第１実施形態の表示内容選択メニューを示す概略図である。
【図６】予定内容が重合表示された撮像画像の概略図である。
【図７】予定内容が重合表示された別の撮像画像の概略図である。
【図８】第１実施形態の撮像装置における表示処理の手順を示す第１フローチャートである。
【図９】第２実施形態に係る撮像装置の内部構成を示すブロック図である。
【図１０】地名データベースを示す図表である。
【図１１】第２実施形態の表示内容選択メニューを示す概略図である。
【図１２】予定内容及び地名が重合表示された撮像画像の概略図である。
【図１３】第３実施形態に係る撮像画像表示システムの構成を示す概略図である。
【図１４】データベース記録装置の内部構成を示すブロック図である。
【図１５】第３実施形態の撮像装置の内部構成を示すブロック図である。
【図１６】撮像画像表示システムにおける表示処理の手順を示す第２フローチャートである。
【符号の説明】
【００９９】
１、４０、６０  撮像装置
３  撮像レンズ
４  モニタ部
５  操作部
１０  ＣＣＤ
１５  ハードディスク装置
１９  表示インタフェース部
２０  制御部
２１  計時回路部
２２  外部接続端子部
３０  スケジュール
４１、６１  ＧＰＳ受信部
４２、５６  地名データベース
５１  データベース記録装置
５５  スケジュールデータベース
６２  無線通信部
【図１】
2006180284.tif 000003
【図２】
2006180284.tif 000004
【図３】
2006180284.tif 000005
【図４】
2006180284.tif 000006
【図５】
2006180284.tif 000007
【図６】
2006180284.tif 000008
【図７】
2006180284.tif 000009
【図８】
2006180284.tif 000010
【図９】
2006180284.tif 000011
【図１０】
2006180284.tif 000012
【図１１】
2006180284.tif 000013
【図１２】
2006180284.tif 000014
【図１３】
2006180284.tif 000015
【図１４】
2006180284.tif 000016
【図１５】
2006180284.tif 000017
【図１６】
2006180284.tif 000018